【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
細胞含有微細流体を処理するための微細流体処理デバイスであって、
複数の細胞を含んだ液体からなる細胞含有流体を受け取る崩壊モジュールと、
細胞内物質を含む流体の下流への移動を阻止して、該流体を崩壊位置に位置決めする位置決めエレメントと、
前記崩壊モジュール内の細胞から細胞内内容物を解放する崩壊機構と、
前記位置決めエレメント及び前記崩壊モジュールの上流側に配置された気体アクチュエータであって、前記流体の第１及び第２部分を該気体アクチュエータの上流及び下流にそれぞれ配置し、前記流体の前記第２部分を前記第１部分から分離し、かつ、該第２部分を前記位置決めエレメントの下流位置に移動することによって、前記崩壊モジュール内の前記細胞含有流体の細胞から分離された細胞内内容物からなる微細液滴を準備するに十分な気体圧力を提供する気体アクチュエータと
からなることを特徴とする微細流体処理デバイス。
【請求項２】
請求項１記載の微細流体処理デバイスにおいて、前記流体の第２部分は、細胞含有流体の約９０％以下であることを特徴とする微細流体処理デバイス。
【請求項３】
請求項１記載の微細流体処理デバイスにおいて、該処理デバイスは基板を備え、該基板に前記崩壊モジュール及び気体アクチュエータが一体化されていることを特徴とする微細流体処理デバイス。
【請求項４】
請求項１記載の微細流体処理デバイスにおいて、前記気体アクチュエータは気体を加熱して気体圧力を増大させる熱源であることを特徴とする微細流体処理デバイス。
【請求項５】
請求項１記載の微細流体処理デバイスにおいて、前記位置決めエレメントは、前記細胞含有流体の下流部分の表面張力を増大させて、該細胞含有流体の下流への移動を阻止することを特徴とする微細流体処理デバイス。
【請求項６】
請求項１記載の微細流体処理デバイスにおいて、前記位置決めエレメントは、前記細胞含有流体が前記崩壊位置にあるとき、該細胞含有流体の上流の気体圧力と下流の気体圧力とがほぼ同一となるようにするための通路を備え、前記細胞含有流体の前記崩壊位置から下流への移動を阻止するよう構成されていることを特徴とする微細流体処理デバイス。
【請求項７】
細胞含有微細液滴を処理するための微細流体処理方法において、
細胞含有流体に含まれる前記細胞含有微細液滴を、微細流体処理デバイスの崩壊機構に関する崩壊位置に位置決めするステップと、
崩壊機構を作動させて、前記細胞含有微細液滴の細胞から細胞内内容物を解放するステップと、
前記細胞含有微細液滴の下流部分が該微細液滴の上流部分から分離され、かつ、該微細液滴の前記下流部分が前記崩壊機構の下流側に位置に移動するに十分な気体圧力を提供するように、気体アクチュエータを作動するステップと
からなり、前記微細液滴の下流部分は、前記細胞含有微細流体の細胞から解放された細胞内内容物を含んでいる、ことを特徴とする微細流体処理方法。
【請求項８】
請求項７記載の微細流体処理方法において、前記位置決めするステップは、前記微細液滴の下流側表面を疎水性材料と接触されるステップを含むことを特徴とする微細流体処理方法。
【請求項９】
請求項８記載の微細流体処理方法において、前記位置決めするステップは、前記微細液滴の曲率半径を増大させるステップを含むことを特徴とする微細流体処理方法。
【請求項１０】
請求項５５記載の微細流体処理方法において、前記位置決めするステップは、前記微細液滴の上流側の気体圧力と下流側の気体圧力とをほぼ同一にするステップを含むことを特徴とする微細流体処理方法。
【請求項１１】
粒子含有流体を処理するための微細流体処理デバイスにおいて、
前記粒子含有流体から、濃縮された粒子試料を用意する濃縮モジュールと、
前記濃縮モジュールの下方側に配置され、前記濃縮された粒子試料を受け取る微細液滴調整モジュールであって、
前記濃縮された粒子試料の下流への移動を阻止する位置決めエレメントと、
前記位置決めエレメントの上流側に配置された気体アクチュエータであって、前記濃縮された粒子試料の第１及び第２部分を該気体アクチュエータの上流及び下流にそれぞれ配置し、前記濃縮された粒子試料の前記第２部分を前記第１部分から分離し、かつ、該第２部分を前記位置決めエレメントの下流位置に移動するに十分な気体圧力を提供するための気体アクチュエータと
からなる微細液滴調整モジュールと
を備えていることを特徴とする微細流体処理デバイス。
【請求項１２】
請求項１１記載の微細流体処理デバイスにおいて、該処理デバイスは、前記濃縮モジュールとの間で流体が移動する流体通過要素を備え、該流体通過要素は、前記粒子含有流体の粒子の移動を阻止するが、該粒子含有流体の流体が前記濃縮モジュールに排出されることを阻止しないよう構成されていることを特徴とする微細流体処理デバイス。
【請求項１３】
請求項１３記載の微細流体処理デバイスにおいて、該処理デバイスは、第１バルブを開放しかつ第２気体アクチュエータを作動することによって、前記濃縮モジュールから前記微細液滴調整モジュールに、前記濃縮された粒子試料を移動させ、濃縮チャネル内の気体圧力を、前記微細液滴調整モジュールの気体圧力よりも増大させることを特徴とする微細流体処理デバイス。
【請求項１４】
請求項１３記載の微細流体処理デバイスにおいて、該処理デバイスは、基板を備え、該基板に、前記濃縮モジュール、前記微細液滴調整モジュール、前記第１バルブ、前記気体アクチュエータが一体化されていることを特徴とする微細流体処理デバイス。
【請求項１５】
請求項１１記載の微細流体処理デバイスにおいて、前記濃縮された粒子試料は細胞であり、前記処理デバイスは、前記細胞から細胞内内容物を開放する崩壊モジュールを備え、該崩壊モジュールは、該モジュールに関する崩壊位置に前記濃縮された粒子試料を位置決めするための位置決めエレメントを備えていることを特徴とする微細流体処理デバイス。
【請求項１６】
流体を処理するための微細流体基板であって、
細胞含有流体から濃縮された粒子試料を用意する濃縮モジュールと、
前記濃縮ゾーンと結合され、前記濃縮された粒子試料を受け取って、該試料内の細胞から細胞内内容物を分離して崩壊試料を形成する崩壊モジュールと、
前記崩壊試料から流体の第１微細液滴を形成するための微細液滴生成モジュールと、
試薬を含む第２微細液滴を準備する試薬入力モジュールと、
前記第１微細液滴を、試薬である前記第２微細液滴と混合して、第３微細液滴を生成する混合モジュールと、
前記第３微細液滴内の細胞内内容物を増幅させる増幅モジュールと
からなることを特徴とする微細流体処理デバイス。
【請求項１７】
流体を処理するための微細流体システムにおいて、
微細流体基板であって、
細胞含有流体から、濃縮された粒子試料を用意する濃縮モジュールと、
気体圧力を提供する気体アクチュエータと、
前記濃縮モジュールを前記気体アクチュエータに結合する第１バルブと、
細胞を崩壊して細胞内内容物を解放する崩壊モジュールと、
前記崩壊モジュールに前記濃縮モジュールを結合する第２バルブと
からなる微細流体処理基板と、
前記微細流体処理基板の動作を制御する制御処理デバイスであって、
ｉ）前記第１バルブを閉鎖して、前記濃縮モジュールと前記気体アクチュエータとの間で流体が移動しないように制御し、
ｉｉ）前記第２バルブを閉鎖して、前記濃縮モジュールと前記崩壊モジュールとの間で流体が移動しないように制御する
制御処理デバイスと
からなり、前記制御処理デバイスは、前記濃縮された粒子試料の移動を制御し、前記第１及び第２バルブを開放して、前記気体アクチュエータが気体圧力を提供できるようにして、前記濃縮モジュールから前記崩壊モジュールへ、濃縮された粒子試料が移動することができるように制御することを特徴とする微細流体システム。